(57)【要約】      （修正有）【課題】遊技媒体が抜き取られることを阻止し不正行為の発生を未然に防止し、遊技媒体の補給作業を効率よく行なえる遊技媒体貸出機を提供する。【解決手段】制御部１８の下方には、メダル補充用の遊技媒体貯留部３４が設けられる。遊技媒体貯留部３４は、補給扉３０により開閉される開口部３６と、開口部３６に供給された遊技媒体を遊技媒体貯留部３４内に導く補給路３８とを有している。遊技媒体貯留部３４には、遊技媒体貯留部３４を横切り遊技媒体貯留部３４への手の侵入を阻止する阻止部材５０が設けられている。【選択図】図３
2018038715.tif 000002
【特許請求の範囲】
【請求項１】
遊技機に併設される遊技媒体貸出機であって、
遊技媒体貯留用の遊技媒体貯留部と、前記遊技媒体貯留部を開閉する補給扉とを有する筐体を備え、
前記遊技媒体貯留部に、前記遊技媒体貯留部を横切り前記遊技媒体貯留部への手の侵入を阻止する阻止部材が設けられている、
ことを特徴とする遊技媒体貸出機。
【請求項２】
前記遊技媒体貯留部は、前記補給扉により開閉される開口部と、前記開口部に供給された遊技媒体を前記遊技媒体貯留部内に導く補給路とを含んで構成され、
前記阻止部材は前記補給路に設けられている、
ことを特徴とする請求項１記載の遊技媒体貸出機。
【請求項３】
前記筐体は、前記補給路の上方を仕切る貯留部上壁を有し、
前記貯留部上壁に上孔が形成され、
前記阻止部材は、上方から前記上孔を通って前記補給路中に延在している、
ことを特徴とする請求項２記載の遊技媒体貸出機。
【請求項４】
前記筐体は、前記補給路の下方を仕切る補給路底壁を有し、
前記補給路底壁に下孔が貫設され、
前記阻止部材の下端は前記下孔に挿入されている、
ことを特徴とする請求項３記載の遊技媒体貸出機。
【請求項５】
前記貯留部上壁の上に、前記遊技媒体貸出機の制御を行う制御部が配置され、
前記阻止部材は、前記上孔を通って前記遊技媒体貯留部中に延在する本体部と、前記本体部の端部に設けられ前記上孔に係止する係止部とを有し、
前記制御部により前記係止部の上方への移動が阻止されている、
ことを特徴とする請求項３または４記載の遊技媒体貸出機。
【請求項６】
前記阻止部材は、鉛直方向に延在している、
ことを特徴とする請求項１〜５の何れか１項記載の遊技媒体貸出機。
【請求項７】
前記阻止部材の上端は、前記阻止部材の下端よりも、前記遊技媒体貯留部で遊技媒体が導かれる方向の下流側に位置している、
ことを特徴とする請求項１〜５の何れか１項記載の遊技媒体貸出機。
【発明の詳細な説明】
【技術分野】
【０００１】
本発明は、遊技機に併設される遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、筐体を備え、遊技者が貨幣を貨幣投入口に投入することで、あるいは、所定のカード媒体をカード挿入口に挿入することで、筐体内部の払い出しホッパによりメダルの払い出しを行なう。
このような遊技媒体貸出機として、払い出しホッパに遊技媒体を供給する遊技媒体貯留用の遊技媒体貯留部と、遊技媒体貯留部を開閉する補給扉とが設けられたものが提供されている（特許文献１参照）。
補給扉は、所定のキーによりロックされており、遊技店の係員は、キーを用いて補給扉を開いたのち、遊技媒体貯留部に遊技媒体を補給する。
【先行技術文献】
【特許文献】
【０００３】
【特許文献１】特開２０１６−１９５６１公報
【発明の概要】
【発明が解決しようとする課題】
【０００４】
しかしながら、補給扉のロックが不正に解除されることにより、補給扉が開放されると、遊技媒体貯留部に手を入れて遊技媒体が抜き取られる不正が行われる。
そこで、遊技媒体貯留部に手が入らないように遊技媒体貯留部の入口付近の断面を小さくすることが考えられるが、そのように構成してしまうと、遊技媒体の補給作業を効率よく行うことができないという不具合いが生じる。
本発明は、上記事情に鑑みなされたものであり、本発明の目的は、遊技媒体貯留部を介して遊技媒体が抜き取られることを阻止し、不正行為の発生を未然に防止する上で有利で、また、遊技媒体の補給作業を効率よく行なう上で有利な遊技媒体貸出機を提供することにある。
【課題を解決するための手段】
【０００５】
上記目的を達成するために、請求項１記載の発明は、遊技機に併設される遊技媒体貸出機であって、遊技媒体貯留用の遊技媒体貯留部と、前記遊技媒体貯留部を開閉する補給扉とを有する筐体を備え、前記遊技媒体貯留部に、前記遊技媒体貯留部を横切り前記遊技媒体貯留部への手の侵入を阻止する阻止部材が設けられていることを特徴とする。
請求項２記載の発明は、前記遊技媒体貯留部は、前記補給扉により開閉される開口部と、前記開口部に供給された遊技媒体を前記遊技媒体貯留部内に導く補給路とを含んで構成され、前記阻止部材は前記補給路に設けられていることを特徴とする。
請求項３記載の発明は、前記筐体は、前記補給路の上方を仕切る貯留部上壁を有し、前記貯留部上壁に上孔が形成され、前記阻止部材は、上方から前記上孔を通って前記補給路中に延在していることを特徴とする。
請求項４記載の発明は、前記筐体は、前記補給路の下方を仕切る補給路底壁を有し、前記補給路底壁に下孔が貫設され、前記阻止部材の下端は前記下孔に挿入されていることを特徴とする。
請求項５記載の発明は、前記貯留部上壁の上に、前記遊技媒体貸出機の制御を行う制御部が配置され、前記阻止部材は、前記上孔を通って前記遊技媒体貯留部中に延在する本体部と、前記本体部の端部に設けられ前記上孔に係止する係止部とを有し、前記制御部により前記係止部の上方への移動が阻止されていることを特徴とする。
請求項６記載の発明は、前記阻止部材は、鉛直方向に延在していることを特徴とする。
請求項７記載の発明は、前記阻止部材の上端は、前記阻止部材の下端よりも、前記遊技媒体貯留部で遊技媒体が導かれる方向の下流側に位置していることを特徴とする。
【発明の効果】
【０００６】
請求項１記載の発明によれば、遊技媒体貯留部に、遊技媒体貯留部を横切り遊技媒体貯留部への手の侵入を阻止する阻止部材を設けたので、仮に補給扉が不正に開放されたとしても、遊技媒体貯留部を介して遊技媒体が抜き取られることを阻止でき、不正行為の発生を未然に防止する上で有利となる。
請求項２記載の発明によれば、開口部の寸法を大きく確保しても、補給路に設けた阻止部材により手の侵入を阻止できるため、遊技媒体貯留部への遊技媒体の補給作業の効率化を図りつつ、不正行為の発生を未然に防止する上で有利となる。
請求項３記載の発明によれば、阻止部材を遊技媒体貯留部に配設するにあたって工具や治具が不要となるため、例えば、百台単位の遊技媒体貸出機を対象として阻止部材を遊技媒体貯留部に配設する場合、阻止部材の配設作業の効率化を図る上で極めて有利となる。また、阻止部材を取り外す場合の作業の効率化を図る上でも極めて有利となる。また、百台単位の遊技媒体貸出機から阻止部材を取り外す場合の作業の効率化を図る上でも極めて有利となる。
請求項４記載の発明によれば、阻止部材の上端および下端が上孔および下孔で支持されるため、遊技媒体の補給時に阻止部材がずれることがなく、阻止部材の取り付け強度を確保する上で有利となる。
請求項５記載の発明によれば、阻止部材を遊技媒体貯留部に配設するにあたって阻止部材の移動を阻止するためのねじやナットなどの締結具が不要となるため、例えば、百台単位の遊技媒体貸出機を対象として阻止部材を遊技媒体貯留部に配設する場合、阻止部材の配設作業の効率化を図る上で極めて有利となることは無論のこと、部品コストの低減を図る上でも有利となる。
請求項６記載の発明によれば、阻止部材の挿脱を簡単に行う上で有利となり、また、遊技媒体の流れを邪魔しにくく、遊技媒体の補給作業の効率化を図る上で有利となる。
請求項７記載の発明によれば、阻止部材が下方に至るにつれて遊技媒体貯留部の上流側に傾斜しているため、阻止部材が遊技媒体の流れをより邪魔しにくく、遊技媒体の補給作業の効率化を図る上でより有利となる。
【図面の簡単な説明】
【０００７】
【図１】（Ａ）は第１の実施の形態に係る遊技媒体貸出機の正面図、（Ｂ）は実施の形態に係る遊技媒体貸出機の側面図である。
【図２】（Ａ）は阻止部材の斜視図、（Ｂ）は補給扉が開放された状態を示す遊技媒体貸出機の斜視図である。
【図３】第１の実施の形態に係る遊技媒体貸出機の遊技媒体貯留部の縦断面図である。
【図４】（Ａ）は底壁部材の平面図、（Ｂ）は底壁部材の正面図、（Ｃ）は底壁部材の側面図である。
【図５】阻止部材が遊技媒体貯留部に取り付けられる際の説明図である。
【図６】阻止部材が遊技媒体貯留部に取り付けられた状態で制御部を筐体に挿入する際の説明図である。
【図７】（Ａ）は遊技媒体貯留部の縦断面図、（Ｂ）はシャッターが挿入された状態の遊技媒体貯留部の縦断面図である。
【図８】第２の実施の形態に係る遊技媒体貸出機の遊技媒体貯留部の縦断面図である。
【図９】第３の実施の形態に係る遊技媒体貸出機の遊技媒体貯留部の縦断面図である。
【発明を実施するための形態】
【０００８】
（第１の実施の形態）
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。なお、遊技媒体は、メダルのような円板状の遊技媒体に限定されず、矩形板状、あるいは、多角形板状など、従来公知の様々な形状の遊技媒体が使用可能である。また、遊技機がパチンコ機の場合、遊技媒体はパチンコ玉である。
遊技媒体貸出機１０は、筐体１２と、筐体本体１４と、ビルバリユニット１６と、制御部１８と、払い出しホッパ２０と、ノズルシュート２２と、ノズル２４と、計数遊技媒体受け皿２６と、受け皿用蓋２８と、計数ホッパ２１とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
複数の正面板は、ビルバリユニット用正面板１６Ａ、制御部側正面板１８Ａ、補給扉３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４が設けられている。
カード挿入口１８０２には、遊技者を識別する情報又はカード固有の識別情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
【００１１】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１２】
正面開口部１４１０の下部には下部正面板３２が着脱可能に取着されており、補給扉３０で閉塞される正面開口部１４１０の部分の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に伝達される。
下部正面板３２は、筐体１２の内部と反対に位置する正面３２０２を有し、この正面３２０２は筐体１２の正面を構成している。
計数遊技媒体受け皿２６は、下部正面板３２の正面３２０２でノズルシュート２２の上に設けられている。
【００１３】
図２（Ｂ）、図３に示すように、制御部１８の下方には、メダル補充用の遊技媒体貯留部３４が設けられる。
遊技媒体貯留部３４は、補給扉３０により開閉される開口部３６と、開口部３６に続き開口部３６に供給された遊技媒体を適宜箇所（払い出しホッパ２０）に導く補給路３８とを有している。
なお、遊技媒体貯留部３４は、払い出しホッパ２０の上方空間および補給路３８の補給路底壁の上方空間を含んで構成されている。そして、遊技場の係員が開口部３６から遊技媒体を補給する際に、払い出しホッパ２０は無論のこと払い出しホッパ２０の上方空間全域および補給路３８の補給路底壁の上方空間全域まで遊技媒体を充填する。すなわち、補給路３８は遊技媒体の貯留部としても機能するため、遊技媒体貯留部３４は補給路３８を含んで構成されている。そして、後述する貯留部上壁４４は、遊技媒体貯留部３４の上方を仕切っており、詳細には、払い出しホッパ２０の上方空間の上方および補給路３８の上方を仕切っている。
開口部３６は、筐体正面で制御部側正面板１８Ａの下方に位置し、したがって、遊技媒体貯留部３４の上方に制御部１８が配置されている。
補給扉３０は、ヒンジ４０を介して筐体１２側に取着されている。
本実施の形態では、補給路３８の下方を仕切る補給路底壁が図４に示す底壁部材４２の底壁部４２０２により構成され、底壁部材４２は取り付け片４２０４を介して筐体１２に取着されている。この底壁部材４２の底壁部４２０２はヒンジ４０に取着され、したがって、補給扉３０は、底壁部材４２、ヒンジ４０を介して筐体１２に取着されている。
【００１４】
図３、図５に示すように、筐体１２は、遊技媒体貯留部３４の上方を仕切る貯留部上壁４４を有している。
貯留部上壁４４は、制御部１８が載置される底壁を構成している。
貯留部上壁４４の前部には、上方から阻止部材５０を挿通させるための上孔４４０２が形成されている。上孔４４０２は、貯留部上壁４４の前部の幅方向の中央に設けられている。
図４，図５に示すように、補給路底壁を構成する底壁部材４２の底壁部４２０２に、阻止部材５０の下端が挿入される下孔４２０４が貫設されている。下孔４２０４は、底壁部４２０２の幅方向の中央に設けられている。
なお、図２（Ｂ），図３に示すように、補給扉３０の左右両側には、補給扉３０を開いた際に、補給扉３０の左右両端と筐体本体１４の一対の側板１４０４の前端縁との間に生ずる空隙を塞ぐことで、補給扉３０の上方から開口部３６に向けて遊技媒体の補給を円滑に行えるように扉用側板部材４６が取着されている。この左右の扉用側板部材４６は、補給扉３０を閉じると、補給路３８の両側に配置された筐体用側板部材４８と一対の側板１４０４との間に収容される。
【００１５】
図２（Ａ）、（Ｂ）、図３に示すように、遊技媒体貯留部３４には、遊技媒体貯留部３４を横切る形で配置されることによって、遊技媒体貯留部３４への手の侵入を阻止する阻止部材５０が設けられている。
本実施の形態では、阻止部材５０は、補給路３８に設けているが、阻止部材５０を補給路３８における入口付近の開口部３６に設けても良い。ただし、本実施の形態のように阻止部材５０を補給路３８に設けることで、遊技媒体の補給作業の効率を高めるために開口部３６の寸法を大きくした場合であっても、何ら形状を変えずに阻止部材５０により手の侵入を阻止する上で有利となる。
阻止部材５０は、上孔４４０２を通って補給路３８に延在する本体部５００２と、本体部５００２の端部に設けられ上孔４４０２の上方から係止する係止部５００４とを有している。
本実施の形態では、本体部５００２は、断面が円形の均一外径のロッドで構成され、係止部５００４は、ロッドの長手方向の一端に装着された止め輪（例えばＥリングなど）で構成されている。なお、係止部５００４の構成は任意であり、止め輪に代えて膨出部を本体部５００２に一体に形成するなど、係止部５００４の構成には従来公知の様々な構造が採用可能である。
なお、図３，図５に示すように、貯留部上壁４４に係止部５００４を収容する収容凹部４４１０が設けられ、上孔４４０２は収容凹部４４１０の底部に設けられており、制御部１８が係止部５００４に干渉せずに貯留部上壁４４に載置されるように図られている。
阻止部材５０は、鉛直方向に延在し、阻止部材５０の下端は下孔４２０４に挿入されている。
図３に示すように、貯留部上壁４４に制御部１８が載置されており、制御部１８により係止部５００４の上方への移動が阻止されている。
【００１６】
図７（Ａ）、（Ｂ）に示すように、阻止部材５０が上孔４４０２を通って補給路３８に延在し、阻止部材５０の下端が下孔４２０４に挿入された状態で、阻止部材５０の下端は、払い出しホッパ２０を取り出す際に筐体１２に挿入されるシャッター５２よりも上方に位置し、シャッター５２に干渉しないように図られている。
【００１７】
次に阻止部材５０の取り付け、取り外しについて説明する。
阻止部材５０を取り付ける場合は、図５に示すように、制御部１８を取り外した状態とすると共に、補給扉３０を開放する。
そして、図３、図６に示すように、阻止部材５０の下端を上方から貯留部上壁４４の上孔４４０２に挿入し、阻止部材５０の下端を底壁部材４２の底壁部４２０２の下孔４２０４に挿通し、阻止部材５０の係止部５００４を上孔４４０２に係止させる。
このように阻止部材５０を補給路３８に介在させたならば、図３に示すように、制御部１８を貯留部上壁４４の上方に装着する。
この制御部１８の存在により阻止部材５０の上方への動きが阻止され、阻止部材５０が補給路３８に介在された状態が保持される。
阻止部材５０を取り外す場合は、制御部１８を取り外し、補給扉３０を開放する。
開口部３６から手を補給路３８に挿入し、阻止部材５０の中間部を掴んで上方に移動させる。
そして、貯留部上壁４４の上方に突出した阻止部材５０の上端を掴んで阻止部材５０を貯留部上壁４４の上方に引き出す。
【００１８】
以上説明したように、本実施の形態によれば、遊技媒体貯留部３４に、遊技媒体貯留部３４を横切り遊技媒体貯留部３４への手の侵入を阻止する阻止部材５０を設けたので、仮に補給扉３０が不正に開放されたとしても、遊技媒体貯留部３４を介して遊技媒体が抜き取られることを阻止でき、不正行為の発生を未然に防止する上で有利となる。
また、阻止部材５０が遊技媒体貯留部３４の幅方向の中央部で鉛直方向に延在しているので、開口部３６から払い出しホッパ２０への遊技媒体の補給を円滑に行う上で有利となる。
【００１９】
また、本実施の形態では、遊技媒体貯留部３４は、補給扉３０により開閉される開口部３６と、開口部３６に続き開口部３６に供給された遊技媒体を適宜箇所に導く補給路３８とを有し、阻止部材５０は補給路３８に設けられている。
したがって、開口部３６の寸法を大きくしても、補給路３８に設けた阻止部材５０により手の侵入を確実に阻止できるため、遊技媒体貯留部３４への遊技媒体の補給作業の効率化を図りつつ、不正行為の発生を未然に防止する上で有利となる。
【００２０】
また、本実施の形態では、筐体１２は、遊技媒体貯留部３４の上方を仕切る貯留部上壁４４に上孔４４０２が形成され、阻止部材５０は、上方から上孔４４０２を通って遊技媒体貯留部３４中に延在している。
したがって、阻止部材５０を遊技媒体貯留部３４に配設するにあたって工具や治具が不要となるため、例えば、百台単位の遊技媒体貸出機を対象として阻止部材５０を遊技媒体貯留部３４に配設する場合、阻止部材５０の配設作業の効率化を図る上で極めて有利となる。また、同様に阻止部材５０を取り外す場合の作業の効率化を図る上でも極めて有利となる。
なお、阻止部材５０の上端に係止部５００４を設ける前に、阻止部材５０の上端を下方から上孔４４０２に挿通させ、貯留部上壁４４の上方に突出した阻止部材５０の上端に係止部５００４を後付けで取り付けるようにしてもよい。
【００２１】
また、本実施の形態では、補給路３８の下方を仕切る補給路底壁を構成する底壁部材４２の底壁部４２０２に下孔４２０４が貫設され、阻止部材５０の下端は下孔４２０４に挿入されている。
したがって、阻止部材５０を遊技媒体貯留部３４に配設するにあたって工具や治具が不要となるため、例えば、百台単位の遊技媒体貸出機を対象として阻止部材５０を遊技媒体貯留部３４に配設する場合、阻止部材５０の配設作業の効率化を図る上で極めて有利となる。また、百台単位の遊技媒体貸出機から阻止部材５０を取り外す場合の作業の効率化を図る上でも極めて有利となる。
また、阻止部材５０の上端および下端が上孔４４０２および下孔４２０４で支持されるため、遊技媒体の補給時に阻止部材５０がずれることがなく、阻止部材５０の取り付け強度を確保する上で有利となる。
【００２２】
また、本実施の形態では、貯留部上壁４４の上に、遊技媒体貸出機の制御を行う制御部１８が配置され、阻止部材５０は、上孔４４０２を通って遊技媒体貯留部３４中に延在する本体部５００２と、本体部５００２の端部に設けられ上孔４４０２に係止する係止部５００４とを有し、制御部１８により係止部５００４の上方への移動が阻止されている。
したがって、阻止部材５０を遊技媒体貯留部３４に配設するにあたって阻止部材５０の移動を阻止するためのねじやナットなどの締結具が不要となるため、例えば、百台単位の遊技媒体貸出機を対象として阻止部材５０を遊技媒体貯留部３４に配設する場合、阻止部材５０の配設作業の効率化を図る上で極めて有利となることは無論のこと、部品コストの低減を図る上でも有利となる。
【００２３】
また、遊技媒体貯留部３４における阻止部材５０の延在方向は、水平方向や水平方向と交差する方向、鉛直方向と交差する方向など様々な延在方向でよいが、本実施の形態のように、阻止部材５０を鉛直方向に延在させると、阻止部材５０の挿脱を簡単に行う上で有利となり、また、遊技媒体の流れを邪魔しにくく、遊技媒体の補給作業の効率化を図る上で有利となる。
【００２４】
（第２の実施の形態）
次に第２の実施の形態について図８を参照して説明する。
なお、以下の実施の形態では、第１の実施の形態と同様の部分、部材については第１の実施の形態と同一の符号を付してその説明を省略する。
第２の実施の形態は、阻止部材５０の上端が、阻止部材５０の下端よりも、遊技媒体貯留部３４で遊技媒体が導かれる方向の上流側に位置している点が第１の実施の形態と異なり、それ以外は第１の実施の形態と同様である。
第２の実施の形態においても第１の実施の形態と同様の効果が奏されることは無論である。
【００２５】
（第３の実施の形態）
次に第３の実施の形態について図９を参照して説明する。
第３の実施の形態は、阻止部材５０の上端が、阻止部材５０の下端よりも、遊技媒体貯留部３４で遊技媒体が導かれる方向の下流側に位置している点が第１の実施の形態と異なり、それ以外は第１の実施の形態と同様である。
第３の実施の形態によれば、第１の実施の形態と同様の効果が奏されることは無論のこと、阻止部材５０が下方に至るにつれて遊技媒体貯留部３４の上流側に傾斜しているため、補給路の底壁部材４２と阻止部材５０との間での遊技媒体の滞留が生じにくくなる。
したがって、遊技媒体を、阻止部材５０よりも上流側の開口部３６付近に至るまで満杯に補充した後に、払い出しホッパ２０から順次遊技媒体を払い出したことにより補充遊技媒体貯留部３４内の遊技媒体が減少してゆく際に、遊技媒体が阻止部材５０の上流側に接触した状態で滞留する可能性を減少させることができ、遊技媒体の滞留を抑制する上で有利となる。
【００２６】
なお、本実施の形態では、阻止部材５０としてロッドを用いた場合について説明したが、阻止部材５０には、ワイヤや板状で細長状の部材など従来公知の様々な部材が使用可能であり、要するに、遊技媒体の補給を可能とし、手の侵入を阻止できる形状の部材であればよい。
また、本実施の形態では、阻止部材５０を貯留部上壁４４から底壁部材４２の底壁部４２０２に貫通させた場合について説明したが、阻止部材５０を底壁部材４２の底壁部４２０２に至らせずに貯留部上壁４４から下方に突出させてもよく、あるいは、阻止部材５０を貯留部上壁４４に至らせずに底壁部材４２の底壁部４２０２から上方に突出させてもよく、あるいは、阻止部材５０を貯留部上壁４４および底壁部材４２の底壁部４２０２の双方から突出させるようにしてもよく、あるいは、補給路３８の左右の側壁から阻止部材５０を突出させてもよく、要するに阻止部材５０は手の侵入を阻止できる形態で配置されていればよい。
【符号の説明】
【００２７】
１０  遊技媒体貸出装置
１２  筐体
１８  制御部
２０  払い出しホッパ
３０  補給扉
３４  遊技媒体貯留部
３６  開口部
３８  補給路
４２  底壁部材
４２０２  底壁部（補給路底壁）
４２０４  下孔
４４  貯留部上壁
４４０２  上孔
４４１０  収容凹部
５０  阻止部材
５００２  本体部
５００４  係止部
【図１】
2018038715.tif 000003
【図２】
2018038715.tif 000004
【図３】
2018038715.tif 000005
【図４】
2018038715.tif 000006
【図５】
2018038715.tif 000007
【図６】
2018038715.tif 000008
【図７】
2018038715.tif 000009
【図８】
2018038715.tif 000010
【図９】
2018038715.tif 000011